(57)【要約】【課題】  竹の成長に伴う根切り及び株分けを行う場合において、竹自体を植栽容器から取り出すために容易に分解することできる植栽容器を提供することにある。【解決手段】  側面に排水用のオーバーフローパイプ１６が傾動可能に装着され上部が開口された第１の容器１２と、前記第１の容器１２の上部に着脱可能に装着され、上部及び下部が開口し、且つ側板１７，１８が相互に着脱可能に構成された第２の容器１４とを備える。第１の容器１２と第２の容器１４には相互に装着するためのネジ止着部１５，１９，２０を有するとともに、側板１７、１８同士にも相互に接続するためのネジ止着部２２、２３を備えている。【選択図】      図３
0003110044.tif 000002
【実用新案登録請求の範囲】
【請求項１】
側面に排水用のオーバーフローパイプが傾動可能に装着され上部が開口された第１の容器と、前記第１の容器の上部に着脱可能に装着され、上部及び下部が開口し、且つ側板が相互に着脱可能に構成された第２の容器とを備えたことを特徴とする植栽容器。
【請求項２】
前記第１の容器と第２の容器とも相互に装着するためのネジ止着部を有するとともに、該第２の容器の側板にも相互に止着するためのネジ止着部を有することを特徴とする請求項１記載の植栽容器。
【請求項３】
前記第１の容器、第２の容器はＦＲＰで形成されていることを特徴とする請求項１又は２記載の植栽容器。
【考案の詳細な説明】
【技術分野】
【０００１】
本考案は、鑑賞用の植物を植栽するために用いる容器に関するものである。
【背景技術】
【０００２】
一般に、例えば、竹は庭に植えても手入れをしなければ、成長につれて根が伸び、庭一面に竹が蔓延してしまうことになるばかりでなく、他人の敷地内にも侵入するおそれがある。その場合に、竹は根が強いことから、家の縁の下にまで根が入り込むこともあり、このような問題を引き起こすほど根の力が強い。
【０００３】
この竹を観賞用として栽培するため、竹をコンクリート製の鉢に植える等の対策を講じる場合がある。この場合でも、コンクリート製の鉢に割れ目等があった場合には、その割れ目から根が伸び、やがて鉢を割ってしまうという不具合が生じるほど観賞管理は難しいといわれている。
【０００４】
そこで、近年では竹の植栽容器として、ＦＲＰ（強化繊維プラスチック）やポリエチレン素材からなる割れにくいプラスチック製のものが用いられるようになってきている。この場合、竹の地下茎や根の腐敗を防止するために、前記プラスチック製の植栽容器の底に水抜き穴を設ける必要があるが、当該水抜き穴から竹の地下茎や根が出てしまい、その結果、前記プラスチック製の植栽容器を土壌の上に置いている場合等には、地下にまで竹の地下茎や根が潜り込んでしまうことになる。
【０００５】
また、竹は地下茎から１年に何本も筍が出て、すぐに竹に成長するが、その度に根も成長するので、根切り及び株分けを行う必要がある。小さい植栽容器、例えば盆栽鉢のようなものであれば、地下茎がのびて鉢一杯になっても簡単に取り出すことができるが、大きい竹の植栽容器の場合には地下茎が鉢一杯になれば簡単には取り出すことができない。
【考案の開示】
【考案が解決しようとする課題】
【０００６】
本考案は、上述のような実情に鑑みなされたもので、その目的とするところは、竹の地下茎や根が鉢一杯の状態になった場合や、地下にまで地下茎や根が潜り込んでしまった場合、また、竹の成長に伴う根切り及び株分けを行う場合において、竹自体を植栽容器から取り出すために容易に分解することできる植栽容器を提供することにある。また、前記植栽容器の土壌中に貯まった水を排水して根腐の防止をする作業を容易に行うことができる植栽容器を提供することにある。
【課題を解決するための手段】
【０００７】
本考案は、上記目的を達成するために、次の技術的手段を講じている。
即ち、請求項１に係る植栽容器は、側面に排水用のオーバーフローパイプが傾動可能に装着され上部が開口された第１の容器と、前記第１の容器の上部に着脱可能に装着され、上部及び下部が開口し、且つ側板が相互に着脱可能に構成された第２の容器とを備えたことを特徴としている。
【０００８】
また、請求項２に係る植栽容器は、請求項１記載の植栽容器において、前記第１の容器と第２の容器とも相互に装着するためのネジ止着部を有するとともに、該第２の容器の側板にも相互に止着するためのネジ止着部を有することを特徴としている。
【０００９】
またさらに、請求項３に係る植栽容器は、請求項１又は請求項２記載の植栽容器において、前記第１の容器、第２の容器はＦＲＰで形成されていることを特徴としている。
【考案の効果】
【００１０】
本考案に係る植栽容器は、前記第１の容器と第２の容器ともに、相互に脱着可能に装着するためのネジ止着部を設けており、また、前記第２の容器は、相互に着脱可能な側板により構成しているため、必要に応じてドライバーを用いて容易に組み立て及び解体をすることが可能である。
【００１１】
そのため、例えば、観賞用の竹の根が鉢一杯の状態になった場合や、また例え地下にまで根が潜り込んでしまった場合でも、竹自体を前記植栽容器から容易に取り出すことができる。
【００１２】
またさらに、観賞用の竹の成長に伴って根切り及び株分けを行う必要がある場合にも、竹自体を前記植栽容器から容易に取り出すことができるため、当該作業の煩雑さを回避できるという効果がある。
【００１３】
また、本考案に係る植栽容器は、前記第１の容器の側面にオーバーフローパイプを設けているため、前記第１の容器に余分な水分が貯水された場合でも、前記オーバーフローパイプを傾動させることにより容易に排水を行うことができる。
【考案を実施するための最良の形態】
【００１４】
以下、本考案に係る植栽容器の実施形態を図面を参照して説明する。図１は、本実施の形態に係る植栽容器１０の外観を示し、図２は利用状態を示す断面図、図３は植栽容器１０の分解斜視図である。これらの図に示すように、貯水用の第１の容器１２は、略矩形型のパンまたはトレー状に上部が開口され貯水ができるように形成されており、その一側面には排水用のオーバーフローパイプ１６が取り付けられている。このオーバーフローパイプ１６は円筒形で、かつＬ字状に形成されており、その一端部が第１の容器１２の側面に傾動可能に嵌め込まれていて、容器１２の面に沿って手で傾動させることができるようになっている。この傾動角度の調節により排水を行ったりあるいは貯水量をコントロールすることもできる。
【００１５】
また、第１の容器１２の上端部は四方とも外側に水平状に曲げられており、その部分には複数個のネジ孔１５ａが形成され、後述する第２の容器を装着するためのネジ止着部１５として構成されている。なお、容器１２の材質はＦＲＰで、オーバーフローパイプ１６は塩化ビニール等のプラスチック製である。
【００１６】
次に、第２の容器１４について説明する。
第２の容器１４は、４枚の矩形状の側板１７，１８から構成されており、各側板１７，１８はそれぞれ、下端部が外側にほぼ水平に張りだしていて、上記第１の容器１２のネジ止着部１５とネジにて相互に止着できるようにネジ止着部１９，２０として構成されている。該ネジ止着部１９，２０には前述の第１の容器１２のネジ止着部１５に形成されたネジ孔１５ａと対向する位置にネジ孔１９ａ，２０ａが形成されている。また、これらネジ止着部１９，２０の先端部は下側に折り曲げられていて、第１の容器１２に第２の容器１４とを装着した状態で側方から吹きつけた雨が第１の容器１２の中に入り込まないようになっている。
【００１７】
また、一方の側板１８の左右端部は、直角に折り曲げられており、そこにも複数のネジ孔２２ａが形成されてネジ止着部２２として構成されている。また、他方の側板１７の左右端部には側板１８のネジ止着部２２に形成されたネジ孔２２ａに対向する位置にネジ孔１７ａを有するネジ止着部２３が形成されている。
【００１８】
また、これら側板１７，１８の上端部１７ｂ，１８ｂはほぼ水平状態で内側に曲げられており、さらにその先端部は下側に折り曲げられていて、側板１７，１８の強度が保たれている。
【００１９】
上述したように、植物植栽用の第２の容器１４は４枚の側板をその側面を重ねた状態で側板１７のネジ孔１７ａから側板１８のネジ孔２２ａにタッピングネジを揉み込んで組み立てる。また、貯水用の第１の容器１２と植物植栽用の第２の容器１４とは相互に設けられているネジ止着部１５、１９、２０を相重ねた状態で同様にタッピングネジで止める。なお、タッピングネジの頭にはネジカバーを取り付けて、安全を図っている。
【００２０】
さらに説明すると、組み立てる際には、プラスドライバーを用いて、側板１８の側部に設けられているネジ止着部２２と側板１７の側面端部とを重ね合わせ、ネジ止め固定することで、第２の容器１４を形成し、さらに第１の容器１２に設けられているネジ止着部１５と、第２の容器１４に設けられているネジ止着部１９，２０を相互にネジ止め固定することで、植栽容器１０を形成する。また、排水用のオーバーフローパイプ１６は、貯水用の第１の容器１２の側面に設けられた排水孔に嵌め込んで組立が完了する。
【００２１】
これら貯水用の第１の容器１２と植物植栽用の第２の容器１４はＦＲＰで形成されているため、観賞用の竹の成長に伴う亀裂等を防止することが可能である。
【００２２】
次に、本考案に係る植栽容器における利用例を図２を参照して説明する。
植物植栽用の第２の容器１４には保水性のある培養土３０が充填されており、その土中に観賞用の竹４０が植え込まれ、地下茎４４及び根４６が張られている。
【００２３】
また、貯水用の第１の容器１２には、貯水支持層として軽石５０が充填されており、竹４０への水やり、または降雨等の後に培養土３０から抜け出てきた水分を一旦貯水し、培養土３０が乾燥した場合等に、再度培養土３０に水分補給を行うという役割を担っている。そして、植物植栽用の第２の容器１４と貯水用の第１の容器１２との重ね目より培養土３０に空気が供給されるように若干の隙間が設けられているため、竹４０の地下茎や根の腐敗を防止することができる。
【００２４】
またさらに、貯水用の第１の容器１２に、その許容量を超える水分が貯水された場合には、排水用のオーバーフローパイプ１６を傾動させることで貯水用の第１の容器１２内の余分な水分を排水することができ、例えば、本考案に係る植栽容器の設置箇所に設けられている排水溝などへ排出することも可能である。なお、排水後はオーバーフローパイプ１６を垂直位置に戻すことで、排水漏れが無くなる。
【００２５】
以上のように、容易に本考案に係る植栽容器を組み立てることができるため、分解する際にもプラスドライバーを用いて容易に分解することが可能である。
分解して竹を取り出すことにより、もっと大きな容器に移し替えることができることになる。
【産業上の利用可能性】
【００２６】
本考案に係る植栽容器は、その組み立て及び分解が容易にできることから、竹自体を前記植栽容器から取り出すことも容易にできる。従って、観賞用の竹の根が鉢一杯の状態になった場合や、観賞用の竹の成長に伴って根切り及び株分けを行う必要がある場合等の竹自体の取り出し作業に好適に利用できる。尚、本考案に係る植栽容器は、その他種々の植物を植栽する際にも好適に利用できる。
【図面の簡単な説明】
【００２７】
【図１】本考案に係る植栽容器の外観を示した図である。
【図２】本考案に係る植栽容器の利用例を示した断面図である。
【図３】本考案に係る植栽容器の分解斜視図である。
【符号の説明】
【００２８】
１０  植栽容器
１２  第１の容器
１４  第２の容器
１５  第１の容器のネジ止着部
１６  排水用オーバーフローパイプ
１７，１８  側板
１９，２０    第２の容器のネジ止着部
３０  培養土
４０  竹
【図１】
0003110044.tif 000003
【図２】
0003110044.tif 000004
【図３】
0003110044.tif 000005